(57)【要約】      （修正有）【課題】人の腕と卓球ラケットの中心線と３０〜４５°の角をなくして、平行線にし、５本の手指の機能、十分に生かすと共に、手首の機能も十分に発揮させ、グリップを強く握り締めながら、従来の卓球ラケットの欠点を一括に解決する。【解決手段】拳握式卓球ラケット本体１の正面と裏面にラバ−３貼っています。グリップの正面グリップ２１と裏グリップは、卓球ラケット本体の正面と裏面にそれぞれ貼ります。卓球ラケット本体に４個の穴５、７、８、９があります。穴５にはくすり指と小指、穴７には中指、穴８には食指をそれぞれ挿入します。穴９は空気の抵抗を減低するためのものです。【選択図】図１
0003143956.tif 000002
【実用新案登録請求の範囲】
【請求項１】
卓球ラケット本体（１）グリップ（２）とラバ−面（３）、該人差し指、中指、薬指、小指を通す４個の孔▲５▼▲７▼▲８▼▲９▼を設けた新型の卓球用ラケット。
【請求項２】
人の腕と卓球ラケットの中心線と３０〜４５°の角をなくして、平行線になる。
【考案の詳細な説明】
【技術分野】
【０００１】本考案は、卓球ラケットに関する。
【背景技術】
【０００２】従来の卓球ラケットは、世界では大幅で分けで４種類があります。
その１：日本式ペン卓球ラケット
その２：中国式ペン卓球ラケット
その３：シューク卓球ラケット
その４：４指孔（或いは２指孔）挿入式卓球ラケット
【特許文献】特許公開２００５−５８７０３と特許公開２００６−１３０２７９に参照
【考案の開示】
【考案が解決しょうとする課題】
【０００３】しかし、以上の４つ種類の卓球ラケットは、それぞれの欠点が存在している。
日本式ペン卓球ラケットと中国式ペン卓球ラケットは，主な欠点フォアハンドとバックハンドの時、腕の力と工夫が非常に必要である、特にバックハンドも不便である。腕の力と工夫の練習は大変時間がかかります。普通の初心者が完全に把握するまで、３−５年間がかかります。
シューク式卓球ラケットは、人の腕と卓球ラケットの中心線と４５°の角があるので、卓球する時間が長くなると、疲れやすい、安定性も制御性もやり難い。
以上の１−３種類の卓球ラケットとも強く握り締める為に、手、手首、腕、肘そして肩が、非常に疲れた。長時間練習すると、疲れが残存した。更に、掌も汗ばみ、又、腕の動きだけに頼って打球するものである。
以上の第４種類の４指孔（或いは２指孔）挿入式は上記の卓球ラケットの欠点を部分的に改善したが、やはり人の腕と卓球ラケットの中心線と３０〜４５°の角が存在しているので、ボ−ルを打ち時、安定的に正確でコントロールしにくい問題があるだけではなく、長時間練習すると、やはり手首の疲れが残した。
【考案が解決しょうとする手段】
【０００４】  図１から図３のように、拳握式卓球ラケットは、卓球ラケット本体▲１▼は１枚、グリップ▲２▼は２個（表面の部分（２１），裏面部分（２２））、ラバ−▲３▼は２枚と三つの部分となっています。ラケット本体▲１▼の正面と裏面にラバ−▲３▼貼っています。グリップ▲２▼の正面グリップ（２１）と裏グリップ（２２）は、卓球ラケット本体の正面と裏面にそれぞれ貼ります。
【考案の効果】
【０００５】  人の腕と卓球ラケットの中心線と３０〜４５°の角度をなくし、平行線になることによる、五つの指は全面用力で、打球の時、力を出しやすい、安全性も制御性も大変良くになります。
【０００６】  穴▲５▼にはくすり指と小指、穴▲７▼には中指、穴▲８▼には食指をそれぞれ挿入して、強く握り締めることができるし、力を集中しやすくい。
【０００７】  穴▲９▼は空気の抵抗を減低するためもので、穴▲９▼の役割で、空気の抵抗を弱くなる、ボールの打ち速度を向上する。
【０００８】  グリップ▲２▼の正面グリップ（２１）と裏グリップ（２２）は、卓球ラケット本体の正面と裏面にそれぞれ貼るので、正面グリップの先端に親指押しトライバを設置され、裏グリップ（２２）は掌心にぴったり合わせたので、非常に手に優しく、各打ち方にも勿論、特にバックハンド、バックドラィプ、バックカットなどのバック手法に楽になりました、長時間練習しても、腕の疲れが感覚がない。
【０００９】  卓球ラケット本体に４個の穴▲５▼▲７▼▲８▼▲９▼が設置されるので、極めて軽く感じる。
【考案が実施するための最良の形態】
【００１０】  本考案は、人の腕と卓球ラケットの中心線と３０〜４５°の角をなくして、平行線になる。５本の手指の機能、十分に生かすと共に、手首の機能も十分に発揮させ、腕の動きも柔軟にフオームを大きくでき、正確でコントロールの良い打球ができる。すべての卓球選手、初心者にも熟練者にもベテランにとっても使いやすく、手に優しい快適な卓球ラケットを提供する考案である。
【図面の簡単な説明】
【００１１】
【図１】卓球ラケットの正面図である。
【図２】卓球ラケットの側視図である。
【図３】卓球ラケットの裏面図である。
【符号の説明】
【００１２】１）卓球ラケット本体
２）グリップ（グリップの表面部分（２１），グリップの裏面部分（２２））
３）ラバ−
４）親指押しトライバ
５）大穴
６）中指穴
７）食指穴
８）減空気抵抗穴
９）凹部
１０）中指トライバ
【図１】
0003143956.tif 000003
【図２】
0003143956.tif 000004
【図３】
0003143956.tif 000005
【手続補正書】
【提出日】平成19年2月13日(2007.2.13)
【手続補正１】
【補正対象書類名】実用新案登録請求の範囲
【補正対象項目名】請求項１
【補正方法】変更
【補正の内容】
【請求項１】
卓球ラケット本体（１）グリップ（２）とラバー面（３）、該人差し指、中指、薬指、小指を通す４個の穴▲５▼▲６▼▲７▼▲８▼を設けた新型の卓球用ラケット。
【手続補正２】
【補正対象書類名】明細書
【補正対象項目名】０００６
【補正方法】変更
【補正の内容】
【０００６】  穴▲５▼にはくすり指と小指、穴▲６▼には中指、穴▲７▼には食指をそれぞれ挿入して、強く握り締めることができるし、力を集中しやすくい。
【手続補正３】
【補正対象書類名】明細書
【補正対象項目名】０００７
【補正方法】変更
【補正の内容】
【０００７】  穴▲８▼は空気の抵抗を減低するためもので、穴▲８▼の役割で、空気の抵抗を弱くなる、ボールの打ち速度を向上する。
【手続補正４】
【補正対象書類名】明細書
【補正対象項目名】０００９
【補正方法】変更
【補正の内容】
【０００９】  卓球ラケット本体に４個の穴▲５▼▲６▼▲７▼▲８▼が設置されるので、極めて軽く感じる。
【手続補正５】
【補正対象書類名】図面
【補正対象項目名】図１
【補正方法】変更
【補正の内容】
【図１】
0003143956.tif 000006
【手続補正６】
【補正対象書類名】図面
【補正対象項目名】図２
【補正方法】変更
【補正の内容】
【図２】
0003143956.tif 000007
【手続補正７】
【補正対象書類名】図面
【補正対象項目名】図３
【補正方法】変更
【補正の内容】
【図３】
0003143956.tif 000008
【手続補正書】
【提出日】平成19年5月17日(2007.5.17)
【手続補正１】
【補正対象書類名】実用新案登録請求の範囲
【補正対象項目名】請求項１
【補正方法】変更
【補正の内容】
【請求項１】
拳握式卓球ラケットは本体（１）、グリップ（２）とラバー面（３）で構成されています。本体にグリップ及びラバーを貼り、該卓球ラケット本体に人差し指、中指、薬指、小指を通す４個の穴▲５▼▲６▼▲７▼▲８▼を設けた新型の拳握式卓球ラケット。
【手続補正２】
【補正対象書類名】実用新案登録請求の範囲
【補正対象項目名】請求項２
【補正方法】削除
【補正の内容】
【手続補正書】
【提出日】平成20年5月19日(2008.5.19)
【手続補正１】
【補正対象書類名】実用新案登録請求の範囲
【補正対象項目名】全文
【補正方法】変更
【補正の内容】
【実用新案登録請求の範囲】
【請求項１】
拳握式卓球ラケットは本体（１）、グリップ（２）とラバ−面（３）で構成されています、本体にグリップ及びラバ−を貼り、該卓球ラケット本体に人差し指、中指、薬指、小指を通す４個の穴▲５▼▲６▼▲７▼▲８▼を設けた新型の拳握式卓球ラケット。